(57)【要約】  本発明は、レストサポート器具（１０）に関し、着座した休息者（１）が前傾し、体の一部をもたれかけることが可能な休息者（１）の体の一部を支えるレストサポート器具（１０）、及びその使用方法に関する。レストサポート器具（１０）は、少なくとも１つの支持部（９，３５）を備え、該支持部（９，３５）は主要支持部（９）を有し、該主要支持部は、前記着座した休息者の胴体上部（３）と頭部（９）を直接支持し、前記レストサポート器具（１０）は、さらに、前記支持部（９，３５）を前記休息者（１）の膝（６）より上に位置するとともに支持する手段を備え、該手段は、少なくとも２本の脚部（２１，２２）を備え、該脚部（２１，２２）は前記１以上の支持部（９，３５）から下方へと伸張し、前記主要支持部（９）は、使用時に、前記休息者（１）の胴体上部（３）を支持する下部領域（２８）から前記休息者（１）の頭部（２）を支持する上部領域へと、上方へと傾斜した角度を有するよう、延伸し、前記少なくとも２本の脚部は、前記下部領域（２８）に近接した少なくとも１本の後脚部（２２）と、前記上部領域に近接した少なくとも１本の前脚部（２１）を備え、前記後脚部（２２）は、休息者が座る座席に固定され、前記前脚部（２１）は、前記座席（２５）の下方にある床面（２４）と係合し、前記少なくとも２本の脚部（２１，２２）は、前記支持部（９，３５）に対して移動自在であることにより、前記支持部は、非使用時に前記脚部とともに折り畳むことが可能であることを特徴とする、レストサポート器具。
2009520543.tif 000002
【特許請求の範囲】
【請求項１】
休息者の体の一部を支えるレストサポート器具であって、該レストサポート器具に対し、着座した休息者は前傾し、体の一部をもたれかけることが可能であり、
前記レストサポート器具は、
少なくとも１つの支持部を備え、該支持部は主要支持部を有し、該主要支持部は、前記着座した休息者の胴体上部と頭部を直接支持し、
前記レストサポート器具は、さらに、
前記支持部を前記休息者の膝より上に位置させるとともに、前記支持部を支持する手段を備え、該手段は、少なくとも２本の脚部を備え、該脚部は前記少なくとも１つの支持部から下方へと伸張し、
前記主要支持部は、使用時に、前記休息者の胴体上部を支持する下部領域から前記休息者の頭部を支持する上部領域へと、上方へと傾斜した角度を有するよう延出し、
前記少なくとも２本の脚部は、前記下部領域に近接した少なくとも１本の後脚部と、前記上部領域に近接した少なくとも１本の前脚部を備え、前記後脚部は、休息者が座る座席に固定され、前記前脚部は、前記座席の下方にある床面に固定され、前記少なくとも２本の脚部は、前記支持部に対して移動自在であることにより、前記支持部は、非使用時に前記脚部とともに折り畳まれることが可能であることを特徴とする、レストサポート器具。
【請求項２】
１組の側面支持部を備え、該側面支持部は直接前記休息者の腕を支持し、使用時に、前記側面支持部は、前記休息者の頭部よりも低い位置で前記休息者の腕を支持するように、配され、前記側面支持部は、前記主要支持部及び前記少なくとも２本の脚部に対して、移動自在であることにより、前記支持部は、非使用時に前記脚部とともに折り畳まれることが可能であることを特徴とする、請求項１記載のレストサポート器具。
【請求項３】
前記主要支持部は、前記休息者の左右に左側部及び右側部を有し、前記側面支持部は、前記主要支持部の前記左側部及び前記右側部に配されていることを特徴とする、請求項２記載のレストサポート器具。
【請求項４】
前記主要支持部は、両方の前記側面支持部に対して移動自在であることにより、非使用時に前記１組の側面支持部は前記主要支持部の前記左側部及び前記右側部の形状に適合することを特徴とする、請求項２もしくは請求項３記載のレストサポート器具。
【請求項５】
前記側面支持部は、前記主要支持部の前記下方領域と移動自在に接続されることを特徴とする、請求項２から請求項４のいずれか記載のレストサポート器具。
【請求項６】
少なくとも１つのヒンジにより、前記側面支持部は前記下方領域と移動自在に接続されることを特徴とする、請求項５記載のレストサポート器具。
【請求項７】
弾性リンクにより、前記側面支持部は前記下方領域と移動自在に接続されることを特徴とする、請求項５記載のレストサポート器具。
【請求項８】
部材は前記少なくとも１本の脚部から延伸することで、前記側面支持部の位置を決定し、該支持部は、前記下方位置において前記側面支持部が前記休息者の腕を支持する際に用いられ、前記部材は前記少なくとも１本の脚部に対して移動自在であることにより、前記支持部は、非使用時に前記少なくとも１本の脚部とともに折り畳むことが可能であることを特徴とする、請求項２から請求項７のいずれか記載のレストサポート器具。
【請求項９】
前記上方領域に近接する１本の前脚部と前記下方領域に近接する１組の後脚部が存在し、前記後脚部は空間を置いて配され、使用時には前記休息者の脚あるいは腰のいずれか一方に位置することを特徴とする、請求項１から請求項８のいずれか記載のレストサポート器具。
【請求項１０】
前記部材が細長い部材であるとともに、該部材は、前記細長い部材の中間部を軸として、前記前脚部と回転自在に接続されていることを特徴とする、請求項８に従属する際における請求項９記載のレストサポート器具。
【請求項１１】
前記少なくとも２本の脚部が前記主要支持部の全長に及んで支持し、前記支持部で休息する前記休息者の重量が、分離独立した支持部の全長にかかることを特徴とする、請求項１から請求項１０のいずれか記載のレストサポート器具。
【請求項１２】
前記主要支持部が連続面によって提供されることを特徴とする、請求項１から請求項１１のいずれか記載のレストサポート器具。
【請求項１３】
前記連続面は平面であることを特徴とする、請求項１２記載のレストサポート器具。
【請求項１４】
前記連続面は前記休息者の胴体上部に向かって凹形になっていることを特徴とする、請求項１２記載のレストサポート器具。
【請求項１５】
前記脚部は分離独立した支持部を前記主要支持部の反対端に提供することを特徴とする、請求項１から請求項１４いずれか記載のレストサポート器具。
【請求項１６】
携行収納器具であって、
外部ケーシングを備え、
前記携行収納器具は、さらに、
前記外部ケーシングの開閉手段を備え、該ケーシングは複数の側面部へと伸張し、該側面部の少なくとも１つは、剛性を備えた外部パネルを有し、
前記携行収納器具は、さらに、
前記パネルは取り除かれるとともに、前記ケーシングの側面に取付けられる手段を備え、
前記パネルは折り畳まれたレストサポート器具で形成され、前記レストサポート器具は、非使用時かつ折畳時における請求項１から請求項１５のいずれか記載のレストサポート器具であることを特徴とする、携行収納器具。
【請求項１７】
請求項１から請求項１６のいずれか記載のレストサポート器具を用いて、休息者の体を休息させる方法であって、
ｉ）前記支持部を展開する段階と、
ｉｉ）前記休息者が座る座席に、前記後脚部を固定させる段階と、
ｉｉｉ）前記座席の下方の床面に、前記前脚部を固定させる段階と、
ｉｖ）前記支持部の位置を決定するとともに、前記支持部を支持する前記手段を用いて、前記主要支持部を前記着座した休息者の膝よりも上に位置させる段階と、
ｖ）前記休息者の胴体上部と頭部を前記主要支持部に位置させる段階を備えることを特徴とする、レストサポート器具を用いて、休息者の体を休息させる方法。
【請求項１８】
前記方法は、前記休息者が前記レストサポート器具を用いて休息を終えてから、前記脚部を前記支持部とともに折り畳む段階を備えることを特徴とする、請求項１７記載の方法。
【請求項１９】
前記支持部の位置を決定し前記支持部を支持する前記脚部は、前記方法において、分離独立した支持部として提供され、該分離独立した支持部は、前記主要支持部の全長に及んで支持し、前記ｖ）の段階は、前記支持部で休息する前記休息者の重量を、分離独立した支持部の全長にかかる段階を備えることを特徴とする、請求項１７もしくは請求項１８記載の方法。
【発明の詳細な説明】
【技術分野】
【０００１】
本発明は、前傾し着座した姿勢の休息者の一部分を支持するレストサポート器具、およびそのサポート器具の使用方法に関する。
【背景技術】
【０００２】
例えば、飛行機内の旅行者は長旅の間に睡眠をとる必要がある。エコノミークラスの座席設備においては、旅行者は略垂直状態で着座し眠らなければならないこともある。このような非水平状態の睡眠の主な特徴は、身体要素が全体或いは部分的に、互いに支持することを必要とすることである。これにより多数の問題が生じる。さらに加重によるストレスは関節及び筋肉へ伝達される。例えば、頭部及び腕の大部分の重量が、筋肉及び脊柱から胴体上部へと伝達され、そして胴体上部から胴体下部及び大腿部へと伝達される。さらに、身体要素及びその支持面との間に接触圧が生じる。これは、隣接する身体要素から重量が伝達されるためである。例えば、胴体下部（腰及び臀部）及び大腿部は、胴体上部、頭部、及び腕から伝達された重量を支えている。この重量は、身体要素及び支持座席基部の間にさらなる接触圧を生み出すことになる。
【発明の開示】
【発明が解決しようとする課題】
【０００３】
旅行中における休息の問題に対する従来技術の解決方法は、着座した旅行者がストレス及び緊張を軽減するため様々な捻転を行うことを含む。様々な捻転とは例えば、頭部、胴体上部、及び腕を座席後部及びヘッドレストに様々な方法でもたれ掛けさせること、頭部、胴体上部、及び腕を座席の肘掛けにもたれ掛けさせること、頭部、胴体上部、及び腕を旅行者自身の大腿部及び膝にもたれ掛けさせること、或いは頭部及び／又は肩及び／又は腕を前方の座席、或いはその他の支持材にもたれ掛けさせることなどである。なお、その他の支持材は着座した人の前に間隔を置いて床面上に配されている。
【０００４】
これらの方法全ては身体要素間の重量移動を含む。この重量移動は、支えとなる要素の釣り合いを取るために行われる。例えば、「胴体上部から頭部へ」、「胴体上部から腕へ」、「胴体上部から胴体下部へ」、「胴体下部から座席へ」等の方向に対して重量移動が行われる。これにより関連する関節及び筋肉組織にストレスが生じる。したがって各身体部分或いは身体要素がそれ自身の重量のみに耐えるという理想的な水平睡眠姿勢の利点は、これらの方法にはもたらされない。この利点がこれらの方法にもたらされると、関節及び筋肉組織を通って伝達されるストレスは回避され、各身体要素と支持面（ベッド）間の接触圧は最小化される。
【０００５】
特にこれらの方法は、人体で最も重い独立要素である胴体上部の重量が、他の身体要素へ重くのしかかることを避けるものではない。他の身体要素とはすなわち、頭部、腕、胴体下部、及び大腿部である。したがって、これらの方法はこれら身体要素にかかるストレスを増加させ、関節及び筋肉組織を通って支持ストレスを伝達してしまう。
【課題を解決するための手段】
【０００６】
本発明によると、休息者の体の一部を支えるレストサポート器具であって、該レストサポート器具に対し、着座した休息者は前傾し、体の一部をもたれかけることが可能であり、前記レストサポート器具は、少なくとも１つの支持部を備え、該支持部は主要支持部を有し、該主要支持部は、前記着座した休息者の胴体上部と頭部を直接支持し、前記レストサポート器具は、さらに、前記支持部を前記休息者の膝より上に位置させるとともに前記支持部を支持する手段を備え、該手段は、少なくとも２本の脚部を備え、該脚部は前記少なくとも１つの支持部から下方へと伸張し、前記主要支持部は、使用時に、前記休息者の胴体上部を支持する下部領域から前記休息者の頭部を支持する上部領域へと、上方へと傾斜した角度を有するよう延出し、前記少なくとも２本の脚部は、前記下部領域に近接した少なくとも１本の後脚部と、前記上部領域に近接した少なくとも１本の前脚部を備え、前記後脚部は、休息者が座る座席に固定され、前記前脚部は、前記座席の下方にある床面に固定され、前記少なくとも２本の脚部は、前記支持部に対して移動自在であることにより、前記支持部は、非使用時に前記脚部とともに折り畳まれることが可能であることを特徴とする、レストサポート器具がもたらされる。
【０００７】
また本発明によると、このようなレストサポート器具を用いて、休息者の体を休息させる方法であって、ｉ）前記支持部を展開する段階と、ｉｉ）前記休息者が座る座席に、前記後脚部を固定させる段階と、ｉｉｉ）前記座席の下方の床面に、前記前脚部を固定させる段階と、ｉｖ）前記支持部の位置を決定し、前記支持部を支持する前記手段を用いて、前記主要支持部を前記着座した休息者の膝よりも上に位置させる段階と、ｖ）前記休息者の胴体上部と頭部を前記主要支持部に位置させる段階を備えることを特徴とする、レストサポート器具を用いて、休息者の体を休息させる方法がもたらされる。
【０００８】
前記支持部の位置を決定し前記支持部を支持する前記脚部は、前記主要支持部の全長に及ぶ点で支持する分離独立した支持部として提供される。したがって、上記の段階ｖ）は前記支持部にかかる前記休息者の重量を、分離独立した支持部の全長に位置させる段階を含む。
【０００９】
前記上方領域に近接する１本の前脚部と前記下方領域に近接する１組の後脚部が存在する。そして前記後脚部は空間を置いて配され、使用時には前記休息者の脚あるいは腰のいずれか一方に位置する。
【００１０】
後脚部が休息者の着座する座席に噛合うという点と、レストサポート器具が上方へと傾斜した角度を有するという点は、本発明の重要な特徴である。なぜならこれらの特徴は、レストサポート器具を使用中安定して配置することを確実にするからである。また同様に、これらの特徴は自然で快適な休息姿勢を提供するからである。後脚部又はそのそれぞれは、支持部の下方領域を胴体上部の下方部分及び休息者の膝との間に配置する。その一方、主要支持部の下方部分にかかる重量の全て、或いは略全ては下方へと伝達される。この重量は、休息者の膝上ではなく、座面へと伝達される。主要支持面の下部領域は、胴体上部の下方部分及び休息者の膝との間の制約された空間内に配置される。この配置は、レストサポート器具上で休息する休息者の重量によって伝達される力を受け、前方へ傾斜するレストサポート器具をしっかり固定する。またこの力は下方及び前方へと向けられる。したがってレストサポート器具には、重い又は大きな基底部を有する必要や、片持ち梁式支持配置を有する或いは座席や床面に強固に固定される必要はない。なぜなら、
使用中レストサポート器具が前方に傾くことを防ぎ、またレストサポート器具を安定した位置に配置し維持するためである。
【００１１】
本発明の重大な利点は、直接胴体上部を支持することにより問題を排除或いは大幅に削減することである。この問題とは、頭部、腕、胴体下部、そして大腿部といった身体要素が、他の身体要素の重量に耐えなければならないということである。
【発明の効果】
【００１２】
本発明は、容易に持ち運び可能で軽量であってさらに安定したレストサポート器具を形成するのに適したものである。このレストサポート器具は、旅行の際に手軽に手で運ぶことができ、そして必要に応じて折り畳んだり、使用のため据え付けることができる。
【００１３】
本発明のレストサポート器具は、小型で折り畳み式の配置であるため、旅行者が宿泊を伴う旅行をするときにレストサポート器具を持って行くことができる。またレストサポート器具は、人体の部分で最も大きく重い要素である胴体上部の重量をしっかり直接的に支持するため、旅行者は前傾し着座した姿勢で快適に睡眠をとることができる。主要支持部は、腰から頭部までの長さ及び胴体の幅を有しており、傾斜を有すると共に安定して支持されている（すなわち主に非片持ち梁方式）。このような主要支持部に対して旅行者が自身の胴体上部を前方へと位置させることで、旅行者は前述のような快適な休息を取ることができる。
【００１４】
レストサポート器具は１組の側面支持部を備え、該側面支持部は直接前記休息者の腕を支持する。この場合、支持部は肩幅と同じ幅である。使用時に、前記側面支持部は、前記休息者の頭部よりも低い位置で前記休息者の腕を支持するように配される。側面支持部は、前記主要支持部及び前記少なくとも２本の脚部に対して、移動自在であることにより、前記支持部は、非使用時に前記脚部とともに折り畳むことが可能である。
【００１５】
前記主要支持部は、前記休息者の左右に左側部及び右側部を有し、前記側面支持部は、前記主要支持部の前記左側部及び前記右側部に配されている。
【００１６】
前記主要支持部は、両方の前記側面支持部に対して好ましくは移動自在であることにより、非使用時に前記１組の側面支持部は前記主要支持部の前記左側部及び前記右側部の形状に適合する。
【００１７】
本発明の好適な実施形態において、前記側面支持部は、前記主要支持部の前記下方領域と移動自在に接続される。例えば、少なくとも１つのヒンジにより、或いは別の方法として弾性リンクにより、前記側面支持部は前記下方領域と移動自在に接続される。
【００１８】
また本発明の好適な実施形態において、部材は前記少なくとも１本の脚部から延伸することで、前記側面支持部の位置を決定し、該支持部は、前記下方領域において前記側面支持部が前記休息者の腕を支持する際に用いられる。そして部材は前記少なくとも１本の脚部に対して移動自在であることにより、前記支持部は、非使用時に関連する脚部とともに折り畳むことが可能である。
【００１９】
本発明の好適な実施形態において、前記部材が細長い部材であるとともに、該部材は、前記細長い部材の中間部を軸として、前記前脚部と回転自在に接続されている。この配置は、非使用時にレストサポート器具を折り畳むのに役立つので便利である。
【００２０】
脚部が主要支持部に接続する点が前記主要支持部の全長に及び、前記支持部にかかる前記休息者の重量を、分離独立した支持部の全長に略位置させる。
【００２１】
本実施例において、前記主要支持部が連続面によって提供され、また前記連続面は平面である。また、この連続面は前記休息者の胴体上部に向かって凹形になっている。このような凹形の配置は適合を増加させ、また水平方向に胴体を安定させるのにも役立つ。したがって、レストサポート器具使用中の水平方向の安定性を向上させる。
【００２２】
本発明は、携行収納器具であって、外部ケーシングを備え、前記携行収納器具はさらに、前記外部ケーシングの開閉手段を備え、該ケーシングは複数の側面部へと伸張し、該側面部の少なくとも１つは、剛性を備えた外部パネルを備え、前記携行収納器具は、さらに、前記パネルは取り除かれるとともに、前記ケーシングの側面に取付けられる手段を備え、パネルは折り畳まれたレストサポート器具で形成され、前記レストサポート器具は、非使用時かつ折り畳み時における本発明にかかるレストサポート器具をさらに提供する。
【００２３】
休息者がレストサポート器具を使って休息を終えた後、脚部は支持部を用いて折り畳むことができる。
【発明を実施するための最良の形態】
【００２４】
本発明はこれよりさらに、付随する図面を参照することにより、その一例としてのみ説明される。
【００２５】
図１及び図２を参照する。休息者（１）が前傾したレストサポート器具（１０）で休息する場合の様々な考察を図示している。レストサポート器具（１０）は図３及び図４に詳細に示される。また、レストサポート器具（１０）は主要支持部（９）を有する。主要支持部（９）は支持面（１１）を備える。この支持面（１１）は平面或いは緩やかな湾曲又は曲線を有していてもよい。休息者の頭部（２）及び胴体上部（３）のそれぞれには、引力による下向きの力（１２）、（１６）が働く。この下向きの力（１２）、（１６）は縦軸（２０）と平行である。これらの下向きの力（１２）、（１６）はそれぞれ、支持面（１１）の平面、或いは支持面の前面領域を基準としてそれぞれ２つの分力に分解される。分力（１３）、（１７）は支持面（１１）に対し垂直であるので、レストサポート器具（１０）により完全に支えられる。もう一方の分力（１４）、（１８）は支持面（１１）に対し平行であって、胴体上部から休息者の腰の方へ伝達される。実際、平行な分力（１４）、（１８）の合力は、支持面と頭部（２）の間の摩擦力及び支持面と胴体上部（３）の間の摩擦力を合わせたものと等しい。したがって上体部分間に伝達されたほとんど全ての力が打ち消されるが、レストサポート器具（１０）に対する力のみが残存する。図１には示されないが、腕が支持面（１１）上に位置する場合、同様の分力が腕（５）に存在する。したがって、前傾する主要支持部（９）は、体の様々な部分間に伝達された関節及び筋肉組織のストレスを排除する。
【００２６】
レストサポート器具（１０）はまた、横軸（４０）に沿った横力も支える必要がある。しかし、これらの横力は下向きの重量（１３）、（１７）から生じる力よりもずっと小さい。これは左側部の力および右側部の力間における自然の天秤効果によるものである。
【００２７】
図３及び図４を参照する。本発明によるレストサポート器具（１０）はこれらの力を支えることが可能である。またレストサポート器具（１０）は、主要支持部（９）の前方向への傾きに耐えることが可能である。これは下方及び前方に方向付けられた分力（１３）、（１７）の作用によるものである。下記に述べるように、本発明は主要支持部（９）の安定性を、いかなる片持ち梁式支持構造或いはカウンタバランス式の基底部も必要とせずにもたらすことができる。
【００２８】
図３及び図４に図示される如く、この状態は少なくとも２つの独立した支持脚を有することにより達成される。この例において、一方の支持脚（２１）は支持面（１１）の前面にある。１組の支持脚（２２）は支持面（１１）の後面にある。この支持面（１１）は分力（１３）、（１７）を主に支持している。前脚部（２１）は１組の後脚部（２２）よりも長い。したがって、前脚部（２１）は床面（２４）に固定されるようになる。その一方、後脚部（２２）は使用者（１）が着座する座面（２５）に固定されるようになる。前脚部（２１）は伸縮自在の調節部（２６）を有している。これにより、縦軸（３０）に対する主要支持部の傾斜及び角度（２７）は調整が可能となる。またそのため、後脚部（２２）は座面（２５）に正確に固定される。任意で、後脚部（２２）は長さ調節部を有してもよく、或いは伸縮自在に調整可能であってもよい。
【００２９】
左右に伸びる力成分の支持もまた必要とされる。しかしこの成分は通常は非常に小さいものであるので、支持或いは支持構造体を追加する必要はない。この支持構造体とは、脚部（２１）、（２２）から左右に延出する逆Ｔ字型基底部のようなものである。
【００３０】
したがって、レストサポート器具（１０）は独立して立っており、いかなる支持面或いは座部（２５）に直接接続されることはない。
【００３１】
主要支持部（９）の平面にある分力（１４）、（１８）を最小化するためには、角度（２７）は５０度以下であるべきである。しかし、ストレスがかかって腰背部がひどく曲がることを避けるために、角度１０度以上であるべきである。最も好ましいのは、４０度から１５度の角度である。この角度の範囲はまた、主要支持部（９）の下部領域或いは下部部分（２８）を位置決めするのに役立つ。この下部領域或いは下部部分（２８）は、着座した休息者の膝（６）又は大腿部（７）及び胴体上部（３）の間にある小さい間隙（２９）内に存在する。このレストサポート器具の傾斜角度範囲は重要である。なぜなら、レストサポート器具（１０）は、分力（１３）、（１７）の前方への力の成分により前傾するが、主要支持部（９）と休息者の胴体上部（３）との間、もしくは主要支持部（９）と膝（６）の間で接する或いは近くで接することによりレストサポート器具の傾斜角度が妨げられるからである。
【００３２】
図の通り、レストサポート器具（１０）は、着座した使用者（１）の胴体上部（３）、頭部（２）及び腕（５）の重量を直接支持する。上述の説明の通り、レストサポート（１０）は安定して支持されている。これはつまり、レストサポート（１０）はそれ自身の支えで立つので、使用者の体で釣り合いをとることを必要としないということである。主要支持部（９）は水平軸（３０）、（４０）のどちらか一方に沿って片持ち梁方式で保持されるものではない。
【００３３】
腰（４）の右側及び左側それぞれに配置された１組の後脚部（２２）と、頭部（２）の領域から下方に延出する前脚部（２１）を用いることにより、胴体上部、頭部及び腕からむ下方へ向けられた重心（２９）は水平領域（３２）内に確実に納まる。この水平領域（３２）は支持部が座部（２５）及び床面（２４）に接触することにより決定される。この理由のため、脚部（２１）、（２２）は分離独立した支持部を、主要支持部の反対端（３３）、（３４）付近に設置する。
【００３４】
したがって脚部（２１）、（２２）は、ユーザ（１）の胴体上部（３）、頭部（２）の下の主要支持部（９）に配される。休息者は普通に着座した姿勢で、座部（２５）から最大限支持力を胴体下部（腰及び臀部）及び脚に対し受ける。
【００３５】
この配置に重要なのは、後方支持部（２２）の作用である。この支持部（２２）は非常に低いので、主要支持部（９）を腰の下及び臀部（４）付近に保つことができる。この位置において、胴体上部（３）、頭部（２）及び腕（５）の重心（２９）は、支持部（９）、（３５）を通過し下方へ向けられている。この重心（２９）は脚部（２１）、（２２）間の範囲内にあるので、優れた安定性及び支持をもたらすことができる。
【００３６】
本発明は、旅行者が旅行中に携帯用レストサポート器具として利用する場合において特に有益である。したがってレストサポート器具（１０）は、軽量性及び携帯性の両方を備えるよう設計される。これは、２つ以上の独立した支持部（２１）、（２２）を用いることにより達成される。そしてこれにより、主要支持部（９）上に作用する主な力を支持する片持ち梁式支持部を最小限或いは不要とする。
【００３７】
さらに主要支持部（９）は胴体上部（３）及び頭部（２）の重量のみを支持するよう設計され、全体の体重は支持しない。腕（５）は休息者の膝（６）上に位置するが、腕（５）は１組の側面支持部（３５）に支持されるのが最適である。この側面支持部（３５）はヒンジ（３６）により主要支持部（９）の下部部分（２８）に接続されている。各側面支持部は、前部分（３７）において枢動可能な横材（３８）により支持される。この枢動可能な横材（３８）は、枢軸（３９）において中央に位置する前脚部（２１）に接続される。横材（３８）は、縦軸（２０）から水平の横軸（４０）に旋回し、前脚部（２１）と交差するような形になる。したがって、横材（３８）は使用時に側面支持部（３５）の下に配されることになる。
【００３８】
胴体下部（４）（腰及び臀部）、大腿部（７）及び下肢（８）等の下半身の重量は、座部（２５）及び床面（２４）に支持される。したがって、主要支持部（９）及び側面支持部（３５）は、体全体の重量ではなく約３０キロから６０キロ前後の重量を支持しなければならない。体全体の重量は約５０キロから１００キロ前後であって、例えば、ベッド、椅子或いはベンチがその支えのために設計される。
【００３９】
これら両方を考慮することにより、レストサポート器具（１０）の軽量な構造が可能になる。したがって、装置の重要で独自の便利さ、また実用性をもたらす。
【００４０】
レストサポート器具（１０）は旅行時に利用されるため、レストサポート器具は組立式のものである。その点からレストサポート器具（１０）は折り畳むことができる。またこの用語は、非使用時において折り畳むことが可能であるという意味を含む（図５、図６参照）。脚部（２１）、（２２）は折り畳まれ、支持部（９）、（３５）の中に、或いは支持部（９）、（３５）に接触して収納される。また、これらの脚部は別の方法で折り畳むことも可能である。例えば、脚部（２１）、（２２）は支持部（９）、（３５）に取り外し及び接続が可能であって、或いは支持部（９）、（３５）内に収納される。いかなる脚部（２１）、（２２）も、主要支持部（１０）の高さ及び角度を設定するのに長さ調節が可能である。
【００４１】
支持部（９）、（３５）の材料は、人工、天然、剛性を有するもの、柔軟性を有するもの、或いは変形可能なものであってよい。例えば、これらの支持部は軽量の金属、或いは射出成形されたプラスチック、或いは金属又はプラスチックフレーム内のキャンバスを用いること、或いは空気注入式の膜、或いはこれらの組み合わせを用いることで構成されてもよい。支持部（９）、（３５）にはパッド或いはクッションが取り付けられ、快適さが増す。或いは、よりシンプルな形において、何も取り付けられず、使用者が自身でクッションの構造をもたらすようにすることができる。装置の素材或いはパッド又はクッションは柔軟性或いは変形可能特性を有するため、支持部（９）、（３５）の（使用時における）最終的な外形を形成する。その外形とは例えば、凸状、凹状或いは湾曲などである。
【００４２】
支持部（９）、（３５）の構造は様々な形状をとる。例えば、最もシンプルな形状である一平面、或いは凸凹のどちらか、または均一に湾曲部が形成されているか、或いは不規則に湾曲部が形成されているかのどちらかである。上述の柔軟で変形可能な素材、又はパッド或いはクッションは、使用時において人間工学に基づく曲線を生み出したり、或いは人間工学に基づくよりよい曲線に近づく。
【００４３】
支持部（９）、（３５）は１つの部材或いはいくつかの部品が組み合わさったもので、凸状或いは凹状に形成された構造と同様のものである。しかしこの支持部（９）、（３５）は、１以上の支持部を有している。装置の傾斜した、或いは空間上に固定された支持部により、互いに関連する胴体上部、頭部及び腕を、同時に及び人間工学に基づいて配置することが可能になる。
【００４４】
レストサポート器具（１０）の携帯性を促進するため、その構造は折り畳まれる際に小さい接続支持部或いは小さい独立支持部とすることができる。例えば、１つ以上の支持部は、非使用時において半分に折り畳めるよう設計されている。
【００４５】
図５及び図６は、非使用時においてレストサポート器具（１０）がいかにして折り畳まれるかを示している。前脚部（２１）及び後脚部（２２）の両方は、旋回軸（４２）、（４３）において主要支持部に接続されている。前脚部は上方に旋回し、主要支持部（９）の下面（４４）にぴったり接触して位置する。また後脚部は、上方に旋回して、主要支持部（９）の下部部分（２８）の右側部（４６）及び左側部（４５）に接触する。横材（３８）は、回転し（４７）、前脚部（２１）と平行になる。側部（３５）はそれぞれ上方へと回転し、主要支持部（９）と同じ面に位置する。
【００４６】
レストサポート器具（１１０）の第２の実施形態を説明する。本発明のもう一つの態様よる携行収納器具の一部を図示する。レストサポート器具（１１０）の第２の実施形態の機構は、図１から図６の記載のものに対応しており、これらの参照番号に１００を加えた数字によって示すこととする。
【００４７】
携行収納器具はここではスーツケース（５０）である。スーツケース（５０）は外部ケーシング（５１）を有する。このケーシング（５１）は６つの向かい合う側面部を有しており、（５２）から（５６）のうちの５つが図示されている。側面部（５２）は凹部を有し、この凹部はレストサポート器具（１１０）の第２の実施形態に組み込まれている。そのため、レストサポート器具が凹部に嵌め込まれている場合、レストサポート器具のなだらかな凸状の外面（１４４）はスーツケース（５０）の外面を形成する。
【００４８】
レストサポート器具は、解放機構を用いて凹部に取り外し可能に配され、そして保持される。この解放機構とは、ここでは主要な作用をする５つの留め金（５８）である。留め金（５８）は、スーツケース側面部（５２）の凹部の周辺に間隔を空けて配される。
【００４９】
本実施形態において、脚部（１２１）、（１２２）は主要支持部（１０９）の凹状の休息面（１１１）に接触して折り畳まれる。そして脚部（１２１）、（１２２）は、点線で示すように下方へ下ろされ、上述の如く前方及び後方支持部をもたらす。側面支持部（１３５）はまた、主要支持部（１０９）より低い位置へ下ろされる。また、側面支持部（１３５）はそれぞれコード（６０）を用いて適所に保持される。このコード（６０）は側面支持部及び主要支持部（１０９）の間に延出している。
【００５０】
本実施形態において、主要支持部（１０９）及び側面支持部（１３５）は両方凹状であって、不均一な湾曲面上にある胴体上部（３）、頭部（２）及び腕（５）に支持をもたらす。
【００５１】
使用後、レストサポート器具は折り畳まれる。そしてスーツケースの側面にある凹部に再度取り付けられる。
【００５２】
本発明におけるこの明示により、支持部（１０９）、（１３５）は反転した浅いトレイの形状をなす。この形状はおよそ幅４００から４５０ミリ、長さ５００から６００ミリ、深さ２０から３０ミリである。反転した「トレイ」の上面は凸状或いは凹状支持面（１１１）をもたらす。
【００５３】
折り畳まれた状態において、トレイ状のレストサポート器具（１１０）はまた、持ち運びを簡単に行うため大きなブリーフケースの側部にあってもよい。或いは、例えば、他の弾性素材のバッグの剛体基礎を形成する他の携行収納器具と一体をなしてもよい。或いはバックパックの背中部分にあってもよい。使用中、脚部は広げられ、支持部全体を支持する。この支持は、使用者の骨盤（４）の両側面の座部に位置する２つの後脚部と、床面（２４）に位置する前脚部によりなされる。
【００５４】
レストサポート器具は様々な形状であってよい。例えば、支持面或いはそのそれぞれは、成形された一面である。比較的単純な成形された形状において、レストサポート器具は、丸い角を有する三角形の浅い水盤の反転した形状をなす。三角形の基部は臀部（４）にまで及び、短い調節可能な後脚部を配置することができる。また、本実施形態或いは前述の実施形態において、後脚部は中心となる調節可能な一本の後脚部であってもよい。この脚部は横方向に伸びる逆Ｔ字型の末端を有するので、補助的な、最小限の、横方向の安定性をもたらす。三角形の先端部は頭部（２）の方向であり、延出可能な脚部を前方に組み込んでいる。胴体上部（３）は、反転水盤形状のレストサポート器具により支持される。この水盤は成形されて胸部領域に対しよりよくフィットする。また補助的な腕の側面支持部は、水盤の反転した反対側のへりに沿うように配される。このへりそれぞれは拡大されており、腕の直径に一致するようになっている。
【００５５】
上述のレストサポート器具（１０）、（１１０）は、胴体上部（３）を直接的に支持することによって、頭部（２）、腕（５）、胴体下部（４）及び大腿部（７）が、それ自身の重量のみを支持することを可能にする。これは、各身体要素がそれ自身の重量のみを支持するという理想的な睡眠姿勢の重要な特徴に近いものである。
【００５６】
またさらに、レストサポート器具は胴体上部の長さが違う個人に合わせられるよう、支持部の長さ調節の手段を有してもよい。
【００５７】
したがって、レストサポート器具（１０）、（１１０）の決定的な特徴は、休息姿勢にある胴体上部（３）を主要支持部（９）、（１０９）が、着座した休息者を直接的に支持することで、身体要素間に重量を伝達するストレスを大幅に削減する。したがって、各身体要素がそれ自身の重量のみを支持することを可能にする。
【００５８】
上述のレストサポート（１０）、（１１０）は、安定して支持される支持部を旅行者にもたらす。この支持部は旅行者の胴体上部（腰から頭部）の重量を支持する。したがって、胴体上部から他の身体要素（例えば頭部、腕、胴体下部及び大腿部）への重量の伝達を削減或いは著しく軽減させる。
【００５９】
レストサポート器具は軽量、携帯式である。また、いかなる種類の座席を用いてもよいのと同様に、使用者の胴体上部及び好ましい休息角度に調節可能である。
【００６０】
レストサポート器具の軽量で小型の性質により、器具が他の旅行者に役立つような製品に組み込まれることが可能になる。例えば、スーツケースの側面は取り外し可能なためレストサポート器具を形成することができる。或いはバックパックの成形された背部もレストサポート器具として利用することができる。
【００６１】
個々の実施形態の状況を明確にするために説明される本発明のいくらかの特徴もまた、単一の実施形態において組み合わされてもたらされることが好ましい。反対に、単一の実施形態の状況を簡潔にするため説明される本発明の様々な実施形態もまた、別々に、或いはいかなる好適な組み合わせにおいてもたらされてもよい。
【００６２】
様々な変形、修正、及び／又は付加を上述の構造や配置に取り入れてもよいことは理解されている。これは添付の請求項で定義されるように、本発明の精神或いは範囲から逸脱することはない。
【図面の簡単な説明】
【００６３】
【図１】休息者の体の略図の側面図である。休息者の体は、前傾した休息面上で休息している。
【図２】休息者の体の略図の上面図である。休息者の体は、前傾した休息面上で休息している。
【図３】図１と同様の略側面図であって、本発明の第１の好適な実施形態に記載のレストサポート器具で休息する着座した休息者を示す。
【図４】図２と同様の略上面図であって、本発明の第１の好適な実施形態に記載のレストサポート器具で休息する着座した休息者を示す。
【図５】折り畳んだ場合のレストサポート器具の左側面図である。
【図６】折り畳んだ場合のレストサポート器具の正面図である。
【図７】携行収納器具の側面図であって、本発明の第２の好適な実施形態に記載のレストサポート器具を折り畳んで組み込んでいる。
【図８】図７のレストサポート器具の正面図であって、携行収納器具から部品が外されている状態を示す。
【図１】
2009520543.tif 000003
【図２】
2009520543.tif 000004
【図３】
2009520543.tif 000005
【図４】
2009520543.tif 000006
【図５】
2009520543.tif 000007
【図６】
2009520543.tif 000008
【図７】
2009520543.tif 000009
【図８】
2009520543.tif 000010
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
休息者（１）の体の一部を支えるレストサポート器具（１０）であって、該レストサポート器具（１０）に対し、着座した休息者（１）は前傾し、体の一部をもたれかけることが可能であり、
前記レストサポート器具（１０）は、
少なくとも１つの支持部（９，３５）を備え、該支持部（９，３５）は主要支持部（９）を有し、該主要支持部（９）は、前記着座した休息者（１）の胴体上部（３）と頭部（２）を直接支持し、
前記レストサポート器具（１０）は、さらに、
前記支持部（９，３５）を前記休息者（１）の膝より上に位置させるとともに、前記支持部（９，３５）を支持する手段を備え、該手段は、少なくとも２本の脚部（２１，２２）を備え、該脚部（２１，２２）は前記少なくとも１つ（９）の支持部から下方へと伸張し、
前記主要支持部（９）は、使用時に、前記休息者（１）の胴体上部（３）を支持する下部領域（２８）から前記休息者（１）の頭部（２）を支持する上部領域へと、上方へと傾斜した角度を有するよう延出し、
前記少なくとも２本の脚部（２１，２２）は、前記下部領域（２８）に近接した少なくとも１本の後脚部（２２）と、前記上部領域に近接した少なくとも１本の前脚部（２１）を備え、前記後脚部（２２）は、休息者（１）が座る座席（２５）に固定され、前記前脚部（２１）は、前記座席（２５）の下方にある床面（２４）に固定され、前記少なくとも２本の脚部（２１，２２）は、前記支持部（９，３５）に対して移動自在であることにより、前記支持部（９，３５）は、非使用時に前記脚部（２１，２２）とともに折り畳まれることが可能であることを特徴とする、レストサポート器具（１０）。
【請求項２】
１組の側面支持部（３５）を備え、該側面支持部（３５）は直接前記休息者（１）の腕（５）を支持し、使用時に、前記側面支持部は、前記休息者（１）の頭部（２）よりも低い位置で前記休息者（１）の腕を支持するように、配され、前記側面支持部（３５）は、前記主要支持部（９）及び前記少なくとも２本の脚部（２１，２２）に対して、移動自在であることにより、前記支持部（９，３５）は、非使用時に前記脚部（２１，２２）とともに折り畳まれることが可能であることを特徴とする、請求項１記載のレストサポート器具（１０，１１０）。
【請求項３】
前記主要支持部（９）は、前記休息者（１）の左右に左側部及び右側部（４５，４６）を有し、前記側面支持部（３５）は、前記主要支持部（９）の前記左側部及び前記右側部に配されていることを特徴とする、請求項２記載のレストサポート器具（１０，１１０）。
【請求項４】
前記主要支持部（９）は、両方の前記側面支持部（３５）に対して移動自在であることにより、非使用時に前記１組の側面支持部（３５）は前記主要支持部（９）の前記左側部及び前記右側部（４５，４６）の形状に適合することを特徴とする、請求項２もしくは請求項３記載のレストサポート器具（１０，１１０）。
【請求項５】
前記側面支持部（３５）は、前記主要支持部（９）の前記下方領域（２８）と移動自在に接続（３６）されることを特徴とする、請求項２から請求項４のいずれか記載のレストサポート器具（１０，１１０）。
【請求項６】
少なくとも１つのヒンジ（３６）により、前記側面支持部（３５）は前記下方領域（２８）と移動自在に接続されることを特徴とする、請求項５記載のレストサポート器具（１０，１１０）。
【請求項７】
弾性リンクにより、前記側面支持部（３５）は前記下方領域（２８）と移動自在に接続されることを特徴とする、請求項５記載のレストサポート器具（１０，１１０）。
【請求項８】
部材（３８）は前記少なくとも１本の脚部（２１）から延伸することで、前記側面支持部（３５）の位置を決定し、該支持部（３５）は、前記下方位置において前記側面支持部（３５）が前記休息者（１）の腕（５）を支持する際に用いられ、前記部材（３８）は前記少なくとも１本の脚部に対して移動自在であることにより、前記支持部（９，３５）は、非使用時に前記少なくとも１本の脚部（２１，２２）とともに折り畳むことが可能であることを特徴とする、請求項２から請求項７のいずれか記載のレストサポート器具（１０，１１０）。
【請求項９】
前記上方領域に近接する１本の前脚部（２１）と前記下方領域（２８）に近接する１組
の後脚部（２２）が存在し、前記後脚部（２２）は空間を置いて配され、使用時には前記休息者の脚（７，８）あるいは腰（４）のいずれか一方に位置することを特徴とする、請求項１から請求項８のいずれか記載のレストサポート器具（１０，１１０）。
【請求項１０】
前記部材（３８）が細長い部材であるとともに、該部材（３８）は、前記細長い部材の中間部を軸として、前記前脚部（２１）と回転自在に接続（３９）されていることを特徴とする、請求項８に従属する際における請求項９記載のレストサポート器具（１０，１１０）。
【請求項１１】
前記少なくとも２本の脚部が分離独立した支持部（２１，２２）として提供され、前記分離独立した支持部は、前記主要支持部（９）の全長に及んで支持し、前記支持部で休息する前記休息者（１）の重量が、分離独立した支持部（２１，２２）の全長にかかることを特徴とする、請求項１から請求項１０のいずれか記載のレストサポート器具（１０，１１０）。
【請求項１２】
前記主要支持部（９）が連続面（１１）によって提供されることを特徴とする、請求項１から請求項１１のいずれか記載のレストサポート器具（１０，１１０）。
【請求項１３】
前記連続面（１１）は平面であることを特徴とする、請求項１２記載のレストサポート器具（１０，１１０）。
【請求項１４】
前記連続面（１１１）は前記休息者の胴体上部（３）に向かって凹形になっていることを特徴とする、請求項１２記載のレストサポート器具（１１０）。
【請求項１５】
前記脚部（２１，２２）は分離独立した支持部を前記主要支持部（９）の反対端（３３，３４）に提供することを特徴とする、請求項１から請求項１４いずれか記載のレストサポート器具（１０，１１０）。
【請求項１６】
携行収納器具（５０）であって、
外部ケーシング（５１）を備え、
前記携行収納器具（５０）は、さらに、
前記外部ケーシング（５１）の開閉手段を備え、該ケーシング（５１）は複数の側面部（５２から５６）へと伸張し、該側面部（５２）の少なくとも１つは、剛性を備えた外部パネルを有し、
前記携行収納器具（５０）は、さらに、
前記パネルは取り除かれるとともに、前記ケーシング（５１）の側面（５２）に取付けられる手段（５８）を備え、
前記パネルは折り畳まれたレストサポート器具（１１０）で形成され、前記レストサポート器具（１１０）は、非使用時かつ折畳時における請求項１から請求項１５のいずれか記載のレストサポート器具（１１０）であることを特徴とする、携行収納器具（５０）。
【請求項１７】
請求項１から請求項１６のいずれか記載のレストサポート器具（１０，１１０）を用いて、休息者の体を休息させる方法であって、
ｉ）前記支持部（９，３５）を展開する段階と、
ｉｉ）前記休息者（１）が座る座席（２５）に、前記後脚部（２２）を固定させる段階と、
ｉｉｉ）前記座席（２５）の下方の床面（２４）に、前記前脚部（２１）を固定させる段階と、
ｉｖ）前記支持部の位置を決定するとともに、前記支持部を支持する前記手段（２１，２２）を用いて、前記主要支持部（９）を前記着座した休息者（１）の膝（６）よりも上に位置させる段階と、
ｖ）前記休息者（１）の胴体上部（３）と頭部（２）を前記主要支持部（９）に位置させる段階を備えることを特徴とする、レストサポート器具（１０，１１０）を用いて、休息者（１）の体を休息させる方法。
【請求項１８】
前記方法は、前記休息者（１）が前記レストサポート器具（１０，１１０）を用いて休息を終えてから、前記脚部（２１，２２）を前記支持部とともに折り畳む段階を備えることを特徴とする、請求項１７記載の方法。
【請求項１９】
前記支持部（９，３５）の位置を決定し前記支持部（９，３５）を支持する前記脚部（２１，２２）は、前記方法において、分離独立した支持部として提供され、該分離独立した支持部は、前記主要支持部（９）の全長に及んで支持し、前記ｖ）の段階は、前記支持部（９，３５）で休息する前記休息者（１）の重量を、分離独立した支持部の全長にかかる段階を備えることを特徴とする、請求項１７もしくは請求項１８記載の方法。
【手続補正２】
【補正対象書類名】図面
【補正対象項目名】図７
【補正方法】変更
【補正の内容】
【図７】
2009520543.tif 000011
【手続補正３】
【補正対象書類名】図面
【補正対象項目名】図８
【補正方法】変更
【補正の内容】
【図８】
2009520543.tif 000012
【国際調査報告】
2009520543.tif 000013
2009520543.tif 000014